(57)【要約】【課題】飲料の販売杯数を確保しつつ、飲料抽出装置を小型化する。【解決手段】フィルターブロック１６上で、ペーパーフィルタ１０を介して飲料を抽出可能であり、飲料抽出後のペーパーフィルタ１０および飲料の抽出カス２０ａを収容する収容部３０を下部に備える飲料抽出装置１において、ペーパーフィルタ１０を搬送する搬送経路１００を備え、搬送経路１００は、ペーパーフィルタ１０の下流に設けられ、抽出カス２０ａを収容部３０に導く第１の案内ローラ５０および第２の案内ローラ５１と、第１の案内ローラ５０および第２の案内ローラ５１の下流に設けられ、ペーパーフィルタ１０の搬送後、ペーパーフィルタ１０を収容部３０に導く第２案内部５５と、を備え、第１の案内ローラ５０および第２の案内ローラ５１と第２案内部５５とは、平面視において重ならない位置に配置した。【選択図】図１
2019111069.tif 000002
【特許請求の範囲】
【請求項１】
フィルターブロック上で、ペーパーフィルタを介して飲料を抽出可能であり、飲料抽出後の前記ペーパーフィルタおよび前記飲料の抽出カスを収容する収容部を下部に備える飲料抽出装置において、
前記ペーパーフィルタを搬送する搬送経路を備え、
前記搬送経路は、前記ペーパーフィルタの下流に設けられ、前記抽出カスを前記収容部に導く第１案内部と、
前記第１案内部の下流に設けられ、前記ペーパーフィルタの搬送後、前記ペーパーフィルタを前記収容部に導く第２案内部と、を備え、
前記第１案内部と前記第２案内部とは、平面視において重ならない位置に配置されることを特徴とする飲料抽出装置。
【請求項２】
前記第２案内部は、平面視において、前記第１案内部よりも前記ペーパーフィルタが配置されている側に備えられることを特徴とする請求項１に記載の飲料抽出装置。
【請求項３】
前記第１案内部は、前記収容部の一半部の上方に備えられ、
前記第２案内部は、前記収容部の他半部の上方に備えられることを特徴とする請求項１または請求項２に記載の飲料抽出装置。
【請求項４】
前記ペーパーフィルタを搬送経路に沿って搬送する搬送部を備え、
前記搬送部は、前記第２案内部を備え、
前記搬送部は、前記収容部の上方に配置されたことを特徴とする請求項１から請求項３の何れか一項に記載の飲料抽出装置。
【請求項５】
前記ペーパーフィルタを搬送経路に沿って搬送する搬送部を備え、
前記搬送部は、前記第２案内部を備え、
前記搬送部の下端は、前記収容部の上端の高さの近傍であり、かつ、前記収容部の上端の高さよりも高い位置に配置されることを特徴とする請求項１から請求項３の何れか一項に記載の飲料抽出装置。
【請求項６】
前記ペーパーフィルタを搬送経路に沿って搬送する搬送部を備え、
前記搬送部は、前記第２案内部を備え、
前記搬送部の下面は、前記収容部の上端の高さの近傍であり、かつ、前記収容部の上端の高さよりも高い位置に配置されることを特徴とする請求項１から請求項３の何れか一項に記載の飲料抽出装置。
【請求項７】
前記第２案内部は、搬送したペーパーフィルタを下方向に案内する向きに配置されることを特徴とする請求項１から請求項６の何れか一項に記載の飲料抽出装置。
【発明の詳細な説明】
【技術分野】
【０００１】
本発明は、飲料抽出装置に関する。
【背景技術】
【０００２】
従来、ペーパーフィルタを介して例えばコーヒー等の飲料を抽出可能な飲料抽出装置が知られている（例えば、特許文献１参照）。
この種の飲料抽出装置では、飲料を抽出後の抽出カスおよびペーパーフィルタを、装置の下部に設けた収容部に堆積させることにより、連続して次の飲料を抽出可能とする飲料抽出装置がある。このような飲料抽出装置では、飲料を抽出後、ペーパーフィルタ上の抽出カスおよびペーパーフィルタを、下部に備えられる収容部に案内することにより収容している。
【先行技術文献】
【特許文献】
【０００３】
【特許文献１】特開２００８−４０６６９号公報
【発明の概要】
【発明が解決しようとする課題】
【０００４】
しかしながら、ペーパーフィルタ上の抽出カスおよびペーパーフィルタを収容部に案内する場合、抽出カスおよびぺーパーフィルタが案内される部分を中心に、抽出カスおよびペーパーフィルタが縦長に堆積することとなる。この場合、販売杯数を確保するために、多量の抽出カスおよびペーパーフィルタを収容部に収容しようとすると、収容部を縦長に高くした形状とする必要があり、飲料抽出装置が大型化するという課題があった。
本発明は、上述した課題を解決するものであり、飲料の販売杯数を確保しつつ、飲料抽出装置を小型化することを目的とする。
【課題を解決するための手段】
【０００５】
上記目的を達成するために、本発明は、フィルターブロック上で、ペーパーフィルタを介して飲料を抽出可能であり、飲料抽出後の前記ペーパーフィルタおよび前記飲料の抽出カスを収容する収容部を下部に備える飲料抽出装置において、前記ペーパーフィルタを搬送する搬送経路を備え、前記搬送経路は、前記ペーパーフィルタの下流に設けられ、前記抽出カスを前記収容部に導く第１案内部と、前記第１案内部の下流に設けられ、前記ペーパーフィルタの搬送後、前記ペーパーフィルタを前記収容部に導く第２案内部と、を備え、前記第１案内部と前記第２案内部とは、平面視において重ならない位置に配置されることを特徴とする。
【発明の効果】
【０００６】
本発明によれば、第１案内部において抽出カスが収容部に案内される。また、第２案内部においてペーパーフィルタが収容部に案内される。そして、第１案内部と第２案内部とは、平面視において重ならない位置に配置されることから、収容部に案内されるこれら抽出カスおよびペーパーフィルタは、それぞれ別々の位置に堆積する。
これにより、ペーパーフィルタおよび抽出カスを収容部内において分離して堆積することが実現できるため、収容部を縦長に高くした形状とせずとも飲料の販売杯数を確保しつつ、飲料抽出装置を小型化できる。
【図面の簡単な説明】
【０００７】
【図１】本発明の実施形態に係る飲料抽出装置を正面から見た模式図
【図２】飲料抽出装置内部の斜視図
【発明を実施するための形態】
【０００８】
第１の発明における飲料抽出装置は、フィルターブロック上で、ペーパーフィルタを介して飲料を抽出可能であり、飲料抽出後の前記ペーパーフィルタおよび前記飲料の抽出カスを収容する収容部を下部に備える飲料抽出装置において、前記ペーパーフィルタを搬送する搬送経路を備え、前記搬送経路は、前記ペーパーフィルタの下流に設けられ、前記抽出カスを前記収容部に導く第１案内部と、前記第１案内部の下流に設けられ、前記ペーパーフィルタの搬送後、前記ペーパーフィルタを前記収容部に導く第２案内部と、を備え、前記第１案内部と前記第２案内部とは、平面視において重ならない位置に配置されることを特徴とする。
この発明によれば、第１案内部において抽出カスが収容部に案内される。また、第２案内部においてペーパーフィルタが収容部に案内される。そして、第１案内部と第２案内部とは、平面視において重ならない位置に配置されることから、収容部に案内されるこれら抽出カスおよびペーパーフィルタは、それぞれ別々の位置に堆積する。
これにより、ペーパーフィルタおよび抽出カスを収容部内において分離して堆積することが実現できるため、収容部を縦長に高くした形状とせずとも飲料の販売杯数を確保しつつ、飲料抽出装置を小型化できる。
【０００９】
第２の発明における飲料抽出装置は、第１の発明において、前記第２案内部は、平面視において、前記第１案内部よりもペーパーフィルタが配置されている側に備えられることを特徴とする。
この発明によれば、ペーパーフィルタは、第１案内部を経由した後に、第１案内部よりもペーパーフィルタが配置されている側に屈曲して搬送される。これにより、ペーパーフィルタ上の抽出カスは、第１案内部においてペーパーフィルタから分離し、第１案内部の下方に落下する。そのため、第１案内部において抽出カスを収容部に導くことを促進できる。
【００１０】
第３の発明における飲料抽出装置は、第１の発明または第２の発明において、前記第１案内部は、前記収容部の一半部の上方に備えられ、前記第２案内部は、前記収容部の他半部の上方に備えられることを特徴とする。
この発明によれば、抽出カスを収容部の一半部に収容し、ペーパーフィルタを収容部の他半部に収容できる。これにより、ペーパーフィルタおよび抽出カスを収容部内において所定の間隔を保ちつつ分離して堆積することが実現できるため、収容部を縦長に高くした形状とせずとも飲料の販売杯数を確保しつつ、飲料抽出装置を小型化できる。
【００１１】
第４の発明における飲料抽出装置は、第１の発明から第３の発明のいずれかにおいて、前記ペーパーフィルタを搬送経路に沿って搬送する搬送部を備え、前記搬送部は、前記第２案内部を備え、前記搬送部は、前記収容部の上方に配置されたことを特徴とする。
この発明によれば、杯数を重ねることにより収容部に堆積したペーパーフィルタが、収容部の外側にあふれ出ることを防止することができる。
【００１２】
また、第５の発明における飲料抽出装置は、第１の発明から第３の発明のいずれかにおいて、前記ペーパーフィルタを搬送経路に沿って搬送する搬送部を備え、前記搬送部は、前記第２案内部を備え、前記搬送部の下端は、前記収容部の上端の高さの近傍であり、かつ、前記収容部の上端の高さよりも高い位置に配置されることを特徴とする。
この発明によれば、杯数を重ねることにより収容部に堆積したペーパーフィルタが、収容部の上端から収容部の外側にあふれ出ることを、搬送部の下端により押さえることができる。
【００１３】
また、第６の発明における飲料抽出装置は、第１の発明から第３の発明のいずれかにおいて、前記ペーパーフィルタを搬送経路に沿って搬送する搬送部を備え、前記搬送部は、前記第２案内部を備え、前記搬送部の下面は、前記収容部の上端の高さの近傍であり、かつ、前記収容部の上端の高さよりも高い位置に配置されることを特徴とする。
この発明によれば、杯数を重ねることにより収容部に堆積したペーパーフィルタが、収容部の上端から収容部の外側にあふれ出ることを、搬送部の下面全体により押さえることができる。特に、点で押さえるよりも収容部の外側にあふれ出ることを防止しやすい。
【００１４】
第７の発明における飲料抽出装置は、第１の発明から第６の発明のいずれかにおいて、前記第２案内部は、搬送したペーパーフィルタを下方向に案内する向きに配置されることを特徴とする。
この発明によれば、ペーパーフィルタを下方向に搬送させることにより、下方向に押込むことが可能となる。これにより、ペーパーフィルタを効率よく収容部に収容できる。
【００１５】
以下、本発明の実施の形態について、図面を参照しながら説明する。なお、本実施の形態によって本発明が限定されるものではない。
【００１６】
図１は、本発明の実施形態に係る飲料抽出装置１を正面から見た模式図である。また、図１には、飲料抽出装置１からペーパーフィルタ１０が収容部３０に収容される状態が矢印Ｂにより示されている。また、飲料抽出装置１から抽出カス２０ａが収容部３０に収容される状態が矢印Ａにより示されている。図２は、飲料抽出装置１内部の斜視図である。
図１における飲料抽出装置１の正面視を基準として、右側を右、左側を左、上側を上、下側を下、奥側を後、手前側を前、と定義する。また、飲料抽出装置１における前後の方向を前後方向とし、飲料抽出装置１における左右の方向を左右方向とし、飲料抽出装置１における上下の方向を高さ方向とする。
【００１７】
以下、本実施の形態に係る飲料抽出装置１の構成を説明する。
本実施の形態に係る飲料抽出装置１は、ドリップによりコーヒー飲料を抽出する装置である。飲料抽出装置１は、フィルターブロック１６上で、ペーパーフィルタ１０を介してコーヒー飲料をドリップにより抽出可能であり、コーヒー飲料抽出後のペーパーフィルタ１０は、搬送部６０により搬送経路１００に沿って移動し、飲料抽出装置１の下部に備えられる収容部３０に蓄積される。
【００１８】
図１および図２に示すように、飲料抽出装置１は、左上部にペーパーフィルタ収容部１１を備える。ペーパーフィルタ収容部１１は、天壁１２と右壁１３と左壁１４と奥壁１５と、を備えており、下方および前方が開口する形状とされている。
このペーパーフィルタ収容部１１には、ロール状に巻かれたペーパーフィルタ１０が収容されている。ペーパーフィルタ収容部１１の右側であって、飲料抽出装置１の中央部には、フィルターブロック１６が備えられている。
【００１９】
フィルターブロック１６は、上下に昇降する機構を備えている。フィルターブロック１６が完全に上昇した位置に位置する場合、図２に示すように、フィルターブロック１６の上面１６ａは、右壁１３の下端１３ａよりもやや高い位置に配置される。
フィルターブロック１６の上面１６ａには、その中央部にフィルタ部１８が設けられている。このフィルタ部１８の周方向全周には、パッキン１７が備えられている。
【００２０】
フィルターブロック１６の上方には、下方が開口したシリンダ２１が備えられている。
シリンダ２１は、胴部２６と、頭部２８と、胴部２６および頭部２８の間に設けられる凹部２７と、を備える。胴部２６の下端２６ａは、フィルターブロック１６が上昇したとき、ペーパーフィルタ１０を介してパッキン１７と密着する。なお、この胴部２６の下端２６ａで囲まれるペーパーフィルタ１０がフィルタ部１８に相当する。
シリンダ２１の胴部２６は、支持アーム２２により、左右の２か所を支持されている。支持アーム２２は、飲料抽出装置１内の後部に配置される筐体２９に固定されている。
【００２１】
シリンダ２１の頭部２８は、カバー部材４０に覆われている。カバー部材４０は、飲料抽出装置１内の後部に配置される筐体２９に固定されている。
カバー部材４０は、平面視において、シリンダ２１の頭部２８の全体を覆う大きさを備えるメインカバー４１を備える。また、カバー部材４０は、メインカバー４１と別部材で着脱可能なサブカバー４９を備える。サブカバー４９は、メインカバー４１とシリンダ２１の頭部２８との間に備えられ、メインカバー４１に沿ってスライド可能であり着脱自在とされている。
【００２２】
メインカバー４１は、シリンダ２１内にコーヒー飲料の原料である挽かれたコーヒー豆の粉を投入する原料投入口４３と、シリンダ２１内に湯を投入する湯投入口４４と、シリンダ２１内の湯気を引く湯気引き口４５と、例えばコーヒー飲料を抽出するために飲料を循環撹拌させるときに用いられる循環撹拌投入口４７と、を備える。
循環撹拌投入口４７には、上配管７１が接続されている。
【００２３】
筐体２９の右側下部には、コーヒー飲料を抽出するために飲料を循環撹拌させる場合に用いられるポンプ４６が備えられている。
【００２４】
フィルターブロック１６の右側には、棒材である第１の案内ローラ（第１案内部）５０が備えられている。第１の案内ローラ５０は、筐体２９から前方に延びており、円柱型に形成されている。第１の案内ローラ５０は、フィルターブロック１６の右側面１６ｂが前方に延びる方向に沿って前方に向けて延びている。
第１の案内ローラ５０は、フィルターブロック１６が完全に上昇した位置におけるフィルターブロック１６の下端１６ｃよりも低い位置であり、フィルターブロック１６が完全に下降した位置におけるフィルターブロック１６の下端１６ｃよりも高い位置に備えられる。
第１の案内ローラ５０は、ペーパーフィルタ１０が搬送される搬送経路１００の角度を変更する役割を果たす。図１の矢印Ａに示すように、ペーパーフィルタ１０上に堆積した抽出カス２０ａは、第１の案内ローラ５０により、収容部３０に自然落下する。第１の案内ローラ５０を備える位置の下方に抽出カス２０ａを堆積させることができるため、第１の案内ローラ５０を設ける位置を調整することにより、抽出カス２０ａを堆積させる位置を適宜に決定できる。
【００２５】
飲料抽出装置１は、第１の案内ローラ５０の下方であり、かつ、第１の案内ローラ５０よりもペーパーフィルタ１０が配置されている側に、棒材である第２の案内ローラ（第１案内部）５１を備える。すなわち、本実施の形態において、第２の案内ローラ５１は、第１の案内ローラ５０の左下の位置に備えられる。
第２の案内ローラ５１は、ペーパーフィルタ１０が搬送される搬送経路１００の角度を変更する役割を果たす。第２の案内ローラ５１により、第１の案内ローラ５０において自然落下しきれなかった抽出カス２０ａを、収容部３０に自然落下させることができる。第２の案内ローラ５１を備える位置の下方に抽出カス２０ａを堆積させることができるため、第２の案内ローラ５１を設ける位置を調整することにより、抽出カス２０ａを堆積させる位置を適宜に決定できる。
また、第２の案内ローラ５１を設けることにより、搬送経路１００における方向転換地点が増える。そのため、搬送経路１００をより細かく構築でき、搬送経路１００を構築するための自由度があがる。
【００２６】
本実施の形態における第１の案内ローラ（第１案内部）５０および第２の案内ローラ（第１案内部）５１は、収容部３０の右半部（収容部の一半部）の上方に備えられている。
【００２７】
なお、第２の案内ローラ５１は、必ずしも必要ではない。第１案内部として、後述する第２案内部５５の上流に、例えば第１の案内ローラ５０など、ペーパーフィルタ１０上の抽出カスａを落下させる機構が少なくとも１箇所あればよい。この場合、１箇所の第１案内部により抽出カス２０ａが下方の収容部３０に案内され、第２案内部５５により、ペーパーフィルタ１０が下方の収容部３０に案内される。また、第１案内部として、棒材である第１の案内ローラ５０を用いたが、必ずしも棒材でなくてもよい。ペーパーフィルタ１０が搬送される搬送経路１００の角度を変更するものであればよい。例えば、フィルターブロック１６から横方向に突出する図示しない突起を第１案内部としてもよい。
また、第１案内部として、第１の案内ローラ５０および第２の案内ローラ５１に加え、例えば、棒材である第３の案内ローラ等を設けるなど３以上に複数備えていてもよい。
【００２８】
飲料抽出装置１は、第２の案内ローラ５１の下方であり、かつ、第２の案内ローラ５１よりもペーパーフィルタ１０が配置されている側に、搬送部６０を備える。すなわち、本実施の形態において、搬送部６０は、第２の案内ローラ５１の左下の位置に備えられる。
搬送部６０は、飲料抽出に使用された後のペーパーフィルタ１０を搬送することにより、次なる飲料抽出のときには新しい部分のペーパーフィルタ１０をフィルターブロック１６の上面１６ａに配置させる。
【００２９】
搬送部６０は、第２案内部５５を備える。
第２案内部５５は、ペーパーフィルタ１０の搬送後、ペーパーフィルタ１０を収容部３０に導く。図１および図２に示すように、第２案内部５５は、搬送したペーパーフィルタ１０を下方向に案内する向きに配置されている。
第２案内部５５は、収容部３０の左半部（収容部の他半部）の上方に備えられている。
【００３０】
これら第１の案内ローラ（第１案内部）５０および第２の案内ローラ（第１案内部）５１と、第２案内部５５と、は平面視において重ならない位置に配置されている。これにより、第１の案内ローラ（第１案内部）５０および第２の案内ローラ（第１案内部）５１から収容部３０に落下する抽出カス２０ａと、第２案内部５５から収容部３０に導かれるペーパーフィルタ１０と、は収容部３０内において別々の場所に堆積する。
【００３１】
搬送部６０の前後方向の幅は、図２に示すように、ペーパーフィルタ１０の前後方向の幅よりも広く形成されている。搬送部６０は、収容部３０の上方に配置されており、これによって、ペーパーフィルタ１０が収容部３０の外側にあふれ出ることを防止している。
また、搬送部６０の下端６０ａは、図１に示すように、収容部３０の上端３０ａの高さの近傍であり、かつ、収容部３０の上端３０ａの高さよりも高い位置に配置されている。
搬送部６０の下端６０ａは、杯数を重ねることにより収容部３０に堆積したペーパーフィルタ１０が、収容部３０の上端３０ａから収容部３０の外側にあふれ出ることを下端６０ａにより押さえることで抑制するために当該位置に配置されている。
そのため、ここにいう近傍とは、収容部３０に蓄積したペーパーフィルタ１０が、収容部３０の上端３０ａから収容部３０の外側にあふれでることを抑制できる程度に、搬送部６０の下端６０ａが収容部３０に蓄積したペーパーフィルタ１０を上方から押さえることのできる位置とする。本実施の形態においては、収容部３０の上端３０ａから搬送部６０の下端６０ａまでの最短距離Ｃが、５センチメートルとされているが必ずしもこれに限られない。最短距離Ｃは、５センチメートル以下であってもよいし、周辺部材の配置やサイズ等の関係によっては５センチメートルより長くてもよい。
【００３２】
次に、本実施形態の作用について説明する。
飲料抽出装置１において１杯の飲料抽出が終了すると、フィルターブロック１６が下降する。
次いで、搬送部６０により、ペーパーフィルタ１０が搬送される。このとき、搬送部６０により搬送されるペーパーフィルタ１０は、第１の案内ローラ（第１案内部）５０により左下方向に屈曲し、搬送される。図１の矢印Ａに示すように、フィルターブロック１６上に堆積した抽出カス２０ａは、第１の案内ローラ（第１案内部）５０の箇所において、下方に落下し、収容部３０の右半部に堆積する。
次いで、搬送部６０により搬送されるペーパーフィルタ１０は、第２の案内ローラ（第１案内部）５１により左下方向に屈曲し、搬送される。フィルターブロック１６上に堆積した抽出カス２０ａの残りがある場合、抽出カス２０ａは、第２の案内ローラ（第１案内部）５１の箇所において、下方に落下し、収容部３０の右半部に堆積する。
次いで、搬送部６０に至ったペーパーフィルタ１０は、図１の矢印Ｂに示すように、第２案内部５５により、第２案内部５５の下方向に搬送される。これによって、ペーパーフィルタ１０は、第２案内部５５の下方向に押込まれる。第２案内部５５の下方向に搬送されたペーパーフィルタ１０は、収容部３０の左半部に堆積する。
収容部３０に堆積したペーパーフィルタ１０は、収容部３０の上端３０ａの高さを超えて堆積した場合、搬送部６０の下端６０ａの高さ位置に至ると、搬送部６０の下端６０ａにより上方から押さえられ、収容部３０の上端３０ａから収容部３０の外側にあふれ出ることが抑制される。
【００３３】
以上説明したように、本実施の形態に係る飲料抽出装置１は、ペーパーフィルタ１０を搬送する搬送経路１００を備え、搬送経路１００は、ペーパーフィルタ１０の下流に設けられ抽出カス２０ａを収容部３０に導く第１の案内ローラ（第１案内部）５０および第２の案内ローラ（第１案内部）５１と、第１の案内ローラ（第１案内部）５０および第２の案内ローラ（第１案内部）５１の下流に設けられ、ペーパーフィルタ１０の搬送後、ペーパーフィルタ１０を収容部３０に導く第２案内部５５と、を備え、第１の案内ローラ（第１案内部）５０および第２の案内ローラ（第１案内部）５１と第２案内部５５とは、平面視において重ならない位置に配置した。
これによれば、第１の案内ローラ（第１案内部）５０および第２の案内ローラ（第１案内部）５１において抽出カス２０ａが収容部３０に案内される。また、第２案内部５５においてペーパーフィルタ１０が収容部３０に案内される。そして、第１の案内ローラ（第１案内部）５０および第２の案内ローラ（第１案内部）５１と第２案内部５５とは、平面視において重ならない位置に配置されることから、収容部３０に案内されるこれら抽出カス２０ａおよびペーパーフィルタ１０は、それぞれ別々の位置に堆積する。
これにより、ペーパーフィルタ１０および抽出カス２０ａを収容部３０内において分離して堆積することが実現できるため、収容部３０を縦長に高くした形状とせずとも飲料の販売杯数を確保しつつ、飲料抽出装置１を小型化できる。
【００３４】
また、本実施の形態によれば、第２案内部５５は、平面視において、第１の案内ローラ（第１案内部）５０または第２の案内ローラ（第１案内部）５１よりもペーパーフィルタ１０が配置されている側に備えられる。
これによれば、ペーパーフィルタ１０は、第１の案内ローラ（第１案内部）５０または第２の案内ローラ（第１案内部）５１を経由した後に、第１の案内ローラ（第１案内部）５０または第２の案内ローラ（第１案内部）５１よりもペーパーフィルタ１０が配置されている側に屈曲して搬送される。これにより、ペーパーフィルタ１０上の抽出カス２０ａは、第１の案内ローラ（第１案内部）５０または第２の案内ローラ（第１案内部）５１においてペーパーフィルタ１０から分離し、下方に落下する。そのため、抽出カス２０ａを収容部３０に導くことを促進できる。
【００３５】
また、本実施の形態によれば、第１の案内ローラ（第１案内部）５０および第２の案内ローラ（第１案内部）５１は、収容部３０の右半部（一半部）の上方に備えられ、第２案内部５５は、収容部３０の左半部（他半部）の上方に備えられる。
これによれば、抽出カス２０ａを収容部３０の右半部（一半部）に収容し、ペーパーフィルタ１０を収容部３０の左半部（他半部）に収容できる。これにより、ペーパーフィルタ１０および抽出カス２０ａを収容部３０内において所定の間隔を保ちつつ分離して堆積することが実現できるため、収容部３０を縦長に高くした形状とせずとも飲料の販売杯数を確保しつつ、飲料抽出装置１を小型化できる。
【００３６】
また、本実施の形態によれば、ペーパーフィルタ１０を搬送経路１００に沿って搬送する搬送部６０を備え、搬送部６０は、第２案内部５５を備え、搬送部６０の下端６０ａは、収容部３０の上端３０ａの高さの近傍であり、かつ、収容部３０の上端３０ａの高さよりも高い位置に配置した。
これによれば、杯数を重ねることにより収容部３０に堆積したペーパーフィルタ１０が、収容部３０の上端３０ａから収容部３０の外側にあふれ出ることを、搬送部６０の下端６０ａにより押さえることができる。
【００３７】
また、本実施の形態によれば、第２案内部５５は、搬送したペーパーフィルタ１０を下方向に案内する向きに配置される。
これによれば、ペーパーフィルタ１０を下方向に搬送させることにより、下方向に押込むことが可能となる。そのため、ペーパーフィルタ１０を効率よく収容部３０に収容できる。
【００３８】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００３９】
本実施の形態においては、ペーパーフィルタ１０の右側に第１案内部（例えば、第１の案内ローラ５０）を設け、この第１案内部よりもペーパーフィルタ１０側に第２案内部５５を設けたが、例えば、これを左右に対称としてもよい。
【００４０】
また、例えば、後方にペーパーフィルタ１０を備え、ペーパーフィルタ１０よりも前方に第１案内部（例えば、第１の案内ローラ５０）を設け、この第１案内部よりもペーパーフィルタ１０側に第２案内部５５を設けてもよい。これを前後に対称としてもよい。
【００４１】
また、本実施形態では、搬送部６０が、第２案内部５５を備え、搬送部６０の下端６０ａが、収容部３０の上端３０ａの高さの近傍であり、かつ、収容部３０の上端３０ａの高さよりも高い位置に配置したが、搬送部６０の配置はこれに限られない。例えば、搬送部６０をさらに傾けて、下端６０ａを含む下面を略水平にすることで、下面全体でペーパーフィルタ１０を押さえ、ペーパーフィルタ１０が、収容部３０の上端３０ａから収容部３０の外側にあふれ出ることを防止するようにしてもよい。これにより、ペーパーフィルタ１０を点でなく面で押さえることができるので、収容部３０の外側にあふれ出ることをより防止することができる。
【符号の説明】
【００４２】
１  飲料抽出装置
１０  ペーパーフィルタ
１１  ペーパーフィルタ収容部
１６  フィルターブロック
２０  抽出カス
２１  シリンダ
３０  収容部
３０ａ  収容部の上端
５０  第１の案内ローラ（第１案内部）
５１  第２の案内ローラ（第１案内部）
５５  第２案内部
６０  搬送部
６０ａ  搬送部の下端
１００  搬送経路
Ｃ  収容部の上端から搬送部の下端までの最短距離
【図１】
2019111069.tif 000003
【図２】
2019111069.tif 000004